(57)【要約】  基地局は、ユーザ装置の受信品質に応じて、各ユーザ装置に下りリンク送信電力を割り当てる。基地局は、複数のユーザ装置をそれぞれ宛先とする互いに直交しない複数のデータ信号が混合された混合データ信号を送信し、各ユーザ装置がユーザ装置に対応する制御信号を用いてユーザ装置自身宛のデータ信号を復号できるように、複数の制御信号を複数のユーザ装置に送信する。各制御信号は、その制御信号に対応するユーザ装置の識別子でスクランブルされている。第１のデータ信号の宛先である第１のユーザ装置のための制御信号には、第１のデータ信号と混合されている第２のデータ信号の宛先である第２のユーザ装置の識別子を表す情報が含まれており、第２のユーザ装置のための制御信号を第１のユーザ装置がデスクランブルできる。第１のユーザ装置には、第２のユーザ装置のための制御信号の送信に使用されている無線リソースを示す情報は通知されない。
2016013456.tif 000002
【特許請求の範囲】
【請求項１】
複数のユーザ装置の受信品質に応じて、これらのユーザ装置の各々に、下りリンクデータ送信に使用される異なる下りリンク送信電力の１つを割り当てる下りリンク送信電力決定部と、
前記下りリンク送信電力決定部で決定された前記下りリンク送信電力で各データ信号が送信されるように、前記複数のユーザ装置をそれぞれ宛先とする互いに直交しない複数のデータ信号が混合された混合データ信号を送信し、各ユーザ装置がそのユーザ装置自身に対応する制御信号を用いてそのユーザ装置自身を宛先とするデータ信号を復号することができるように、複数の制御信号を前記複数のユーザ装置に送信する無線送信部とを備え、
前記無線送信部は、
各制御信号をその制御信号に対応するユーザ装置の識別子でスクランブルした形式で送信し、
前記下りリンク送信電力決定部で決定された前記下りリンク送信電力が最高ではない第１のデータ信号の宛先である第１のユーザ装置のための制御信号に、前記混合データ信号に前記第１のデータ信号と混合されている少なくとも１つの第２のデータ信号の宛先である少なくとも１つの第２のユーザ装置のための制御信号を前記第１のユーザ装置がデスクランブルできるように、前記少なくとも１つの第２のユーザ装置の識別子を表す情報を含め、
前記第１のユーザ装置に、前記第２のユーザ装置のための制御信号の送信に使用されている無線リソースを示す情報を送信しない
ことを特徴とする基地局。
【請求項２】
前記無線送信部は、
前記制御信号の送信周期よりも長い周期で、互いに直交しない複数のデータ信号の宛先である複数のユーザ装置の複数の識別子と、前記識別子よりも小さい長さを有する複数のインデックスとが一対一で対応づけられたリストを、前記複数のユーザ装置に通知し、
前記第１のユーザ装置の制御信号に、前記少なくとも１つの第２のユーザ装置に対応するインデックスを含める
ことを特徴とする請求項１に記載の基地局。
【請求項３】
複数のユーザ装置の受信品質に応じて、これらのユーザ装置の各々に対する下りリンクデータ送信に使用される異なる下りリンク送信電力を決定する下りリンク送信電力決定部と、
前記下りリンク送信電力決定部で決定された前記下りリンク送信電力で各データ信号が送信されるように、前記複数のユーザ装置をそれぞれ宛先とする互いに直交しない複数のデータ信号が混合された混合データ信号を送信し、各ユーザ装置がそのユーザ装置自身に対応する制御信号を用いてそのユーザ装置自身を宛先とするデータ信号を復号することができるように、複数の制御信号を前記複数のユーザ装置に送信する無線送信部とを備え、
前記無線送信部は、
各制御信号をその制御信号に対応するユーザ装置の識別子でスクランブルした形式で送信し、
前記制御信号の送信周期よりも長い周期で、互いに直交しない複数のデータ信号の宛先である複数のユーザ装置の複数の識別子と、前記識別子よりも小さい長さを有する複数のインデックスとが一対一で対応づけられたリストを、前記複数のユーザ装置に通知し、
前記下りリンク送信電力決定部で決定された前記下りリンク送信電力が最高ではない第１のデータ信号の宛先である第１のユーザ装置のための制御信号に、前記混合データ信号に前記第１のデータ信号と混合されている少なくとも１つの第２のデータ信号の宛先である少なくとも１つの第２のユーザ装置のための制御信号を前記第１のユーザ装置がデスクランブルできるように、前記少なくとも１つの第２のユーザ装置に対応するインデックスを含める
ことを特徴とする基地局。
【請求項４】
基地局から、複数のユーザ装置をそれぞれ宛先とする異なる電力を持つ互いに直交しない複数のデータ信号が含まれた混合データ信号と、前記複数のユーザ装置に対応する複数の制御信号を受信する無線受信部と、
ユーザ装置自身の識別子を用いて、ユーザ装置自身に対応する制御信号をデスクランブルする第１のデスクランブリング部と、
前記第１のデスクランブリング部でデスクランブルされたユーザ装置自身に対応する制御信号に含まれている情報から、前記混合データ信号に当該ユーザ装置自身を宛先とする所望データ信号と混合されている少なくとも１つの非直交データ信号の宛先である少なくとも１つの他のユーザ装置の識別子を認識する認識部と、
前記認識部で認識された前記他のユーザ装置の識別子を用い、前記他のユーザ装置に対応する制御信号をデスクランブルする第２のデスクランブリング部と、
前記第２のデスクランブリング部でデスクランブルされた前記他のユーザ装置に対応する制御信号を用いて、前記非直交データ信号を復調する非直交信号復調部と、
前記非直交信号復調部で復調された前記非直交データ信号に相当するレプリカ信号を前記混合データ信号からキャンセルする非直交信号キャンセル部と、
前記第１のデスクランブリング部でデスクランブルされたユーザ装置自身に対応する前記制御信号を用いて、前記非直交信号キャンセル部から出力される信号から、前記所望データ信号を復号する所望データ信号復号部とを
備え、
前記第２のデスクランブリング部は、前記他のユーザ装置の識別子を用い、前記他のユーザ装置を含む複数のユーザ装置に対応する複数の制御信号の１つの制御信号のデスクランブリングを試行し、
前記第２のデスクランブリング部による前記制御信号のデスクランブリングが失敗した場合に、前記第２のデスクランブリング部は、前記複数の制御信号の他の１つの制御信号のデスクランブリングを試行し、
前記第２のデスクランブリング部による前記制御信号のデスクランブリングが成功した場合に、前記非直交信号復調部は、前記第２のデスクランブリング部から出力された制御信号を用いて、前記非直交データ信号を復調し、前記非直交信号キャンセル部は、前記非直交データ信号に相当するレプリカ信号を前記混合データ信号からキャンセルする
ことを特徴とするユーザ装置。
【請求項５】
前記無線受信部は、
前記制御信号の送信周期よりも長い周期で、互いに直交しない複数のデータ信号の宛先である複数のユーザ装置の複数の識別子と、前記識別子よりも小さい長さを有する複数のインデックスとが一対一で対応づけられたリストを示す情報を、前記基地局から受信し、
前記少なくとも１つの他のユーザ装置に対応するインデックスを含む、当該ユーザ装置自身の制御信号を受信し、
前記認識部は、
前記リストと前記他のユーザ装置に対応するインデックスから、前記他のユーザ装置の識別子を認識する
ことを特徴とする請求項４に記載のユーザ装置。
【請求項６】
当該ユーザ装置自身に対応する前記制御信号に基づいて、当該制御信号に対応するアグリゲーションレベルを判定するアグリゲーションレベル判定部をさらに備え、
前記第２のデスクランブリング部は、当該ユーザ装置自身に対応する前記アグリゲーションレベル以上のアグリゲーションレベルに対応する複数の制御信号のデスクランブリングを試行する
ことを特徴とする請求項４または請求項５に記載のユーザ装置。
【請求項７】
当該ユーザ装置自身に対応する前記アグリゲーションレベルがある値より高い場合には、前記第２のデスクランブリング部、前記非直交信号復調部および前記非直交信号キャンセル部が動作せずに、前記所望データ信号復号部は、前記混合データ信号を前記所望データ信号として復号する
ことを特徴とする請求項６に記載のユーザ装置。
【請求項８】
当該ユーザ装置自身に対応する前記制御信号に基づいて、当該制御信号に対応するアグリゲーションレベルを判定するアグリゲーションレベル判定部をさらに備え、
当該ユーザ装置自身に対応する前記アグリゲーションレベルがある値より高い場合には、前記第２のデスクランブリング部、前記非直交信号復調部および前記非直交信号キャンセル部が動作せずに、前記所望データ信号復号部は、前記混合データ信号を前記所望データ信号として復号する
ことを特徴とする請求項４または請求項５に記載のユーザ装置。
【発明の詳細な説明】
【技術分野】
【０００１】
本発明は、基地局およびユーザ装置に関する。
【背景技術】
【０００２】
移動通信ネットワークにおいて、基地局とユーザ装置（例えば移動局）の間の通信には、複数の信号が互いに干渉しない直交マルチアクセス（orthogonal multiple access）が広く用いられている。直交マルチアクセスでは、異なるユーザ装置に異なる無線リソースが割り当てられる。直交マルチアクセスの例としては、ＣＤＭＡ（符号分割多元接続）、ＴＤＭＡ（時間分割多元接続）、ＯＦＤＭＡ（直交周波数分割多元接続）がある。例えば、3GPPにおいて標準化されたLong Term Evolution（LTE）では、下りリンクの通信にＯＦＤＭＡが使用されている。ＯＦＤＭＡにおいては異なるユーザ装置に異なる周波数が割り当てられる。【０００３】
近年、基地局とユーザ装置の間の通信方式として、非直交マルチアクセス（NOMA、non-orthogonal multiple access）が提案されている（例えば、特許文献１参照）。非直交マルチアクセスにおいては、異なるユーザ装置に同一の無線リソースが割り当てられる。より具体的には、同時に単一の周波数が異なるユーザ装置に割り当てられる。下りリンク通信に非直交マルチアクセスを適用する場合、パスロス（path loss）が大きい、すなわち受信SINR（signal-to interference plus noise power ratio）が小さいユーザ装置（一般にセルエリア端にあるユーザ装置）に対して基地局は大送信電力で信号を送信し、パスロスが小さい、すなわち受信SINRが大きいユーザ装置（一般にセルエリア中央にあるユーザ装置）に対して基地局は小送信電力で信号を送信する。したがって、各ユーザ装置にとっての受信信号は、他のユーザ装置宛の信号により干渉されている。【０００４】
この場合、各ユーザ装置は、電力差を利用してそのユーザ装置宛の信号を復調する。具体的には、各ユーザ装置は最も高い受信電力の信号をまず復調する。その復調された信号は最もセルエリア端にある（より正確には最も受信SINRの低い）ユーザ装置宛の信号であるから、最もセルエリア端にある（最も受信SINRの低い）ユーザ装置は復調を終了する。他の各ユーザ装置は、受信信号からその復調された信号に相当する干渉成分を干渉キャンセラによりキャンセルし、２番目に高い受信電力の信号を復調する。その復調された信号は２番目にセルエリア端にある（より正確には2番目に受信SINRの低い）ユーザ装置宛の信号であるから、２番目にセルエリア端にある（2番目に受信SINRの低い）ユーザ装置は復調を終了する。このように高い電力の信号の復調とキャンセルを繰り返すことにより、すべてのユーザ装置はそのユーザ装置宛の信号を復調することができる。【０００５】
非直交マルチアクセスを直交マルチアクセスに組み合わせることにより、直交マルチアクセス単独の使用に比べて移動通信ネットワークのキャパシティを増大させることができる。つまり、直交マルチアクセス単独の使用では、ある無線リソース（例えば周波数）を同時に複数のユーザ装置に割り当てることはできないが、非直交マルチアクセスと直交マルチアクセスの組合せでは、ある無線リソースを同時に複数のユーザ装置に割り当てることができる。【０００６】
NOMAで使用される干渉キャンセラの代表的な候補には、以下の３つがある（非特許文献１）。
・Symbol-level Interference Canceller (SLIC)
これは、シンボルレベルで（すなわちRE（リソースエレメント）ごと）に干渉信号を扱い、干渉信号の復調結果をキャンセルする。
・Codeword-level IC (CWIC)
これは、Turbo SIC (Successive Interference Canceller)またはCodeword SICとも呼ばれ、符号語レベルで干渉信号を復号し、復号結果をキャンセルする。例えば、非特許文献２には、Codeword SICが記載されている。
・Maximum Likelihood (ML)
これは、シンボルレベルで（すなわちRE（リソースエレメント）ごと）に所望信号と干渉信号を結合推定する。【０００７】
NOMAの性能を向上させるためには、干渉キャンセラの精度が高い受信器が望ましいため、CWICの適用が望ましい。しかし、干渉キャンセラの精度を向上させるには、必要とされる干渉信号の情報が増加する。CWICは、干渉信号の復号結果をキャンセルするので、他の干渉キャンセラよりも必要とされる干渉信号の情報要素の種類が多い。非特許文献１の節７．５には、CWICに必要な情報が記載されている。また、他の干渉キャンセラも、干渉信号の復調結果をキャンセルするので、干渉信号を復調するために種々の情報が必要とされる。【０００８】
ここで、干渉信号とは、ユーザ装置の所望データ信号に干渉を与える他のユーザ装置を宛先とするデータ信号である。ＬＴＥにおいて、データ信号の復調または復号には、そのデータ信号の宛先のユーザ装置に対応する制御信号に含まれる情報が必要である。したがって、干渉キャンセラは、他のユーザ装置に対応する制御信号を解読する必要がある。【０００９】
特許文献１は、非直交マルチアクセスの無線通信システムにおいて、移動局が他の移動局の制御情報を認識するための種々の方法を記載する。
【先行技術文献】
【特許文献】
【００１０】
【特許文献１】特開2013-009290号公報
【非特許文献】
【００１１】
【非特許文献１】3GPP TR 36.866 V12.0.1 (2014-03), 3rd Generation Partnership Project; Technical Specification Group Radio Access Network; Study on Network-Assisted Interference Cancellation and Suppression (NAIC) for LTE (Release 12), 2014年3月
【非特許文献２】Manchon, C.N., et al, "On the Design of a MIMO-SIC Receiver for LTE Downlink", Vehicular Technology Conference, 2008. VTC 2008-Fall. IEEE 68th
【発明の概要】
【発明が解決しようとする課題】
【００１２】
特許文献１の図８（ｂ）には、ユーザ宛て制御信号には、当該ユーザの制御情報に加え、他のユーザ宛ての制御情報が多重されることが開示されている。しかし、各ユーザの制御信号で送信できる情報量は限られているので、情報量が大きい他のユーザ宛の制御情報を送るのは困難なことがありうる。また、制御信号を送信するたびに、情報量が大きい他のユーザ宛の制御情報を送るのは、通信効率を阻害する。【００１３】
特許文献１の図９には、ユーザ向けの制御信号に他のユーザの制御信号を復調するための情報が含められることが開示されている。他のユーザの制御信号を復調するための情報は、具体的には、UE ID、および無線リソースブロックの位置を示す情報（例えば、Control Channel Element（CCE） indexなど）である。しかし、各ユーザの制御信号で送信できる情報量は限られているので、他のユーザの制御信号を復調するための無線リソースブロックの位置を示す情報を送るのは困難なことがありうる。また、制御信号を送信するたびに、無線リソースブロックの位置を示す情報を送るのは、通信効率を阻害する。【００１４】
そこで、本発明は、非直交マルチアクセスの無線通信システムにおいて、制御信号で送信される干渉キャンセラのための情報量の拡大を抑制する基地局およびユーザ装置を提供する。
【課題を解決するための手段】
【００１５】
本発明の第１の態様に係る基地局は、複数のユーザ装置の受信品質に応じて、これらのユーザ装置の各々に、下りリンクデータ送信に使用される異なる下りリンク送信電力の１つを割り当てる下りリンク送信電力決定部と、前記下りリンク送信電力決定部で決定された前記下りリンク送信電力で各データ信号が送信されるように、前記複数のユーザ装置をそれぞれ宛先とする互いに直交しない複数のデータ信号が混合された混合データ信号を送信し、各ユーザ装置がそのユーザ装置自身に対応する制御信号を用いてそのユーザ装置自身を宛先とするデータ信号を復号することができるように、複数の制御信号を前記複数のユーザ装置に送信する無線送信部とを備え、前記無線送信部は、各制御信号をその制御信号に対応するユーザ装置の識別子でスクランブルした形式で送信し、前記下りリンク送信電力決定部で決定された前記下りリンク送信電力が最高ではない第１のデータ信号の宛先である第１のユーザ装置のための制御信号に、前記混合データ信号に前記第１のデータ信号と混合されている少なくとも１つの第２のデータ信号の宛先である少なくとも１つの第２のユーザ装置のための制御信号を前記第１のユーザ装置がデスクランブルできるように、前記少なくとも１つの第２のユーザ装置の識別子を表す情報を含め、前記第１のユーザ装置に、前記第２のユーザ装置のための制御信号の送信に使用されている無線リソースを示す情報を送信しない。【００１６】
本発明の第２の態様に係る基地局は、複数のユーザ装置の受信品質に応じて、これらのユーザ装置の各々に対する下りリンクデータ送信に使用される異なる下りリンク送信電力を決定する下りリンク送信電力決定部と、前記下りリンク送信電力決定部で決定された前記下りリンク送信電力で各データ信号が送信されるように、前記複数のユーザ装置をそれぞれ宛先とする互いに直交しない複数のデータ信号が混合された混合データ信号を送信し、各ユーザ装置がそのユーザ装置自身に対応する制御信号を用いてそのユーザ装置自身を宛先とするデータ信号を復号することができるように、複数の制御信号を前記複数のユーザ装置に送信する無線送信部とを備え、前記無線送信部は、各制御信号をその制御信号に対応するユーザ装置の識別子でスクランブルした形式で送信し、前記制御信号の送信周期よりも長い周期で、互いに直交しない複数のデータ信号の宛先である複数のユーザ装置の複数の識別子と、前記識別子よりも小さい長さを有する複数のインデックスとが一対一で対応づけられたリストを、前記複数のユーザ装置に通知し、前記下りリンク送信電力決定部で決定された前記下りリンク送信電力が最高ではない第１のデータ信号の宛先である第１のユーザ装置のための制御信号に、前記混合データ信号に前記第１のデータ信号と混合されている少なくとも１つの第２のデータ信号の宛先である少なくとも１つの第２のユーザ装置のための制御信号を前記第１のユーザ装置がデスクランブルできるように、前記少なくとも１つの第２のユーザ装置に対応するインデックスを含める。【００１７】
本発明に係るユーザ装置は、基地局から、複数のユーザ装置をそれぞれ宛先とする異なる電力を持つ互いに直交しない複数のデータ信号が含まれた混合データ信号と、前記複数のユーザ装置に対応する複数の制御信号を受信する無線受信部と、ユーザ装置自身の識別子を用いて、ユーザ装置自身に対応する制御信号をデスクランブルする第１のデスクランブリング部と、前記第１のデスクランブリング部でデスクランブルされたユーザ装置自身に対応する制御信号に含まれている情報から、前記混合データ信号に当該ユーザ装置自身を宛先とする所望データ信号と混合されている少なくとも１つの非直交データ信号の宛先である少なくとも１つの他のユーザ装置の識別子を認識する認識部と、前記認識部で認識された前記他のユーザ装置の識別子を用い、前記他のユーザ装置に対応する制御信号をデスクランブルする第２のデスクランブリング部と、前記第２のデスクランブリング部でデスクランブルされた前記他のユーザ装置に対応する制御信号を用いて、前記非直交データ信号を復調する非直交信号復調部と、前記非直交信号復調部で復調された前記非直交データ信号に相当するレプリカ信号を前記混合データ信号からキャンセルする非直交信号キャンセル部と、前記第１のデスクランブリング部でデスクランブルされたユーザ装置自身に対応する前記制御信号を用いて、前記非直交信号キャンセル部から出力される信号から、前記所望データ信号を復号する所望データ信号復号部とを
備え、前記第２のデスクランブリング部は、前記他のユーザ装置の識別子を用い、前記他のユーザ装置を含む複数のユーザ装置に対応する複数の制御信号の１つの制御信号のデスクランブリングを試行し、前記第２のデスクランブリング部による前記制御信号のデスクランブリングが失敗した場合に、前記第２のデスクランブリング部は、前記複数の制御信号の他の１つの制御信号のデスクランブリングを試行し、前記第２のデスクランブリング部による前記制御信号のデスクランブリングが成功した場合に、前記非直交信号復調部は、前記第２のデスクランブリング部から出力された制御信号を用いて、前記非直交データ信号を復調し、前記非直交信号キャンセル部は、前記非直交データ信号に相当するレプリカ信号を前記混合データ信号からキャンセルする。
【発明の効果】
【００１８】
本発明の第１の態様に係る基地局によれば、下りリンク送信電力が最高ではない第１のデータ信号の宛先である第１のユーザ装置のための制御信号に、混合データ信号に第１のデータ信号と混合されている少なくとも１つの第２のデータ信号の宛先である少なくとも１つの第２のユーザ装置の識別子を表す情報を含めるので、第１のユーザ装置は、第２のユーザ装置の識別子を用いて、第２のユーザ装置のための制御信号をデスクランブルして、第２のデータ信号を復調し、第２のデータ信号に相当するレプリカ信号を混合データ信号からキャンセルすることができる。一方、第１のユーザ装置には、第２のユーザ装置のための制御信号の送信に使用されている無線リソースを示す情報が送信されないので、制御信号で送信される干渉キャンセラのための情報量の拡大を抑制することができる。このようにして、トラフィックの増大を抑制することができる。【００１９】
本発明の第２の態様に係る基地局によれば、制御信号の送信周期よりも長い周期で、互いに直交しない複数のデータ信号の宛先である複数のユーザ装置の複数の識別子と複数のインデックスとが一対一で対応づけられたリストが複数のユーザ装置に通知される。第１のユーザ装置の制御信号には、少なくとも１つの第２のユーザ装置に対応するインデックスが含まれる。第１のユーザ装置は、リストと第２のユーザ装置に対応するインデックスから第２のユーザ装置の識別子を特定し、第２のユーザ装置の識別子を用いて、第２のユーザ装置のための制御信号をデスクランブルして、第２のデータ信号を復調し、第２のデータ信号に相当するレプリカ信号を混合データ信号からキャンセルすることができる。第１のユーザ装置の制御信号に含まれるインデックスは、識別子よりも小さい長さを有するので、制御信号で送信される干渉キャンセラのための情報量の拡大を抑制することができる。このようにして、トラフィックの増大を抑制することができる。【００２０】
しかも、NOMAでは、送信電力が異なるデータ信号のグループが複数ありうる（ユーザ装置のグループが複数ありうる）ところ、本発明に係る基地局は、下りリンク送信電力が最高ではない第１のデータ信号の宛先である第１のユーザ装置のための制御信号に、混合データ信号に第１のデータ信号と混合されている第２のデータ信号の宛先である第２のユーザ装置の識別子を含め、これによって第１のユーザ装置が第２のユーザ装置のための制御信号をデスクランブルできるようにする。つまり、基地局は、NOMAで多重される電力が低いユーザ装置に、そのユーザ装置と同じグループに属しそのユーザ装置より電力が高いユーザ装置の識別子を通知する。他のグループに属するユーザ装置の識別子は通知されない。したがって、ユーザ装置が他のユーザ装置の識別子を用い、複数の制御信号の１つの制御信号のデスクランブリングを試行し、デスクランブリングが成功した場合には、デスクランブルされた制御信号は、ユーザ装置自身が属するグループと同じグループに属する他のユーザ装置のための制御信号であり、非直交データ信号に対応する。このため、デスクランブリングが成功した場合には、ユーザ装置は非直交データ信号を復調することができるので、ユーザ装置の処理の負荷が軽減される。【００２１】
本発明に係るユーザ装置は、ユーザ装置自身に対応する制御信号に含まれている情報から少なくとも１つの他のユーザ装置の識別子を認識し、他のユーザ装置の識別子を用い、複数の制御信号の１つの制御信号のデスクランブリングを試行し、デスクランブリングが成功した場合には、非直交データ信号を復調して、非直交データ信号に相当するレプリカ信号を混合データ信号からキャンセルする。このようにして、ユーザ装置は、他のユーザ装置のための制御信号の送信に使用されている無線リソースを知らなくても、試行錯誤（ブラインド復号）で他のユーザ装置の制御信号を解読し、非直交データ信号を復調して、非直交データ信号に相当するレプリカ信号を混合データ信号からキャンセルすることができる。したがって、このユーザ装置は、制御信号で送信される干渉キャンセラのための情報量の拡大の抑制に寄与する。【００２２】
しかも、NOMAでは、送信電力が異なるデータ信号のグループが複数ありうるところ、本発明に係る基地局の無線送信部は、下りリンク送信電力決定部で決定された下りリンク送信電力が最高ではない第１のデータ信号の宛先である第１のユーザ装置のための制御信号に、混合データ信号に第１のデータ信号と混合されている第２のデータ信号の宛先である第２のユーザ装置の識別子を含め、これによって第１のユーザ装置が第２のユーザ装置のための制御信号をデスクランブルできるようにする。つまり、無線送信部は、NOMAで多重される電力が低いユーザ装置に、そのユーザ装置と同じグループに属しそのUEより電力が高いUEの識別子を通知する。他のグループに属するユーザ装置の識別子は通知されない。本発明に係るユーザ装置は、ユーザ装置自身に対応する制御信号から、混合データ信号に当該ユーザ装置自身を宛先とする所望データ信号と混合されている非直交データ信号の宛先である少なくとも１つの他のユーザ装置の識別子を認識する。つまり、ユーザ装置は、ユーザ装置自身が属するグループと同じグループに属する他のユーザ装置の識別子を認識する。したがって、ユーザ装置が他のユーザ装置の識別子を用い、複数の制御信号の１つの制御信号のデスクランブリングを試行し、デスクランブリングが成功した場合には、デスクランブルされた制御信号は、ユーザ装置自身が属するグループと同じグループに属する他のユーザ装置のための制御信号であり、非直交データ信号に対応する。このため、デスクランブリングが成功した場合には、ユーザ装置は非直交データ信号を復調することができるので、ユーザ装置の処理の負荷が軽減される。
【図面の簡単な説明】
【００２３】
【図１】非直交マルチアクセスの概略を説明するための基地局とユーザ装置を示す概略図である。
【図２】非直交マルチアクセスにおける各ユーザ装置への基地局での下りリンク送信電力の割り当ての例を示す図である。
【図３】非直交マルチアクセスにおける各ユーザ装置への基地局での下りリンク送信電力の割り当ての他の例を示す図である。
【図４】非直交マルチアクセスにおける各ユーザ装置への基地局での下りリンク送信電力の割り当ての他の例を示す図である。
【図５】NOMAで使用される干渉キャンセラの代表的な候補で必要とされるPDCCHの情報要素を示す表である。
【図６】本発明の第１の実施の形態に係る基地局の構成を示すブロック図である。
【図７】第１の実施の形態に係るユーザ装置の構成を示すブロック図である。
【図８】図７のユーザ装置で実行される処理を示すフローチャートである。
【図９】比較例のユーザ装置で実行される処理を示すフローチャートである。
【図１０】本発明の第２の実施の形態で使用されるリストの例を示す表である。
【図１１】ＬＴＥで使用されるアグリゲーションレベルを説明するための図である。
【図１２】本発明の第３の実施の形態に係るユーザ装置の構成を示すブロック図である。
【図１３】図１３のユーザ装置で実行される処理を示すフローチャートである。
【図１４】本発明の第４の実施の形態に係るユーザ装置で実行される処理を示すフローチャートである。
【発明を実施するための形態】
【００２４】
以下、添付の図面を参照しながら本発明に係る様々な実施の形態を説明する。
まず、非直交マルチアクセス（NOMA）の概略を説明する。
図１に示すように、基地局１は複数のユーザ装置（user equipment、UE）１００〜１０２と通信する。図１において符号１ａは基地局１のセルエリアを示す。UE１０２は、セルエリア端すなわち最もセルエリア１ａの境界に近い位置にあり、基地局１から最も遠く、パスロスが最も大きい（すなわち受信ＳＩＮＲが最も小さい）。UE１００は、セルエリア１ａの中央付近にあり、基地局１から最も近く、パスロスが最も小さい（すなわち受信ＳＩＮＲが最も大きい）。UE１０１は、UE１０２よりも基地局１に近く、UE１００よりも基地局１から遠い。
【００２５】
図２は、NOMAにおける各UEへの基地局での下りリンク送信電力の割り当ての例を示す図である。基地局１は、UE１００〜１０２に対して同時に同じ周波数を使用して下りリンクデータ送信を行う。つまり、これらのUE１００〜１０２には、同じ周波数と同じ時間が割り当てられる。基地局１は、最も遠隔にあるUE１０２への送信に最も高い下りリンク送信電力を使用し、最も近傍にあるUE１００への送信に最も低い下りリンク送信電力を使用する。
【００２６】
但し、基地局１に接続されるUEは、UE１００〜１０２に限られない。NOMAは、直交マルチアクセスに組み合わせることが可能であり、UE１００〜１０２以外のUEにはUE１００〜１０２に割り当てられた周波数と異なる周波数が割り当てられてもよい。また、同時に同じ周波数が割り当てられるUEの数（NOMAで多重されるUEの数）は３に限らず、２でもよいし４以上でもよい。
【００２７】
各UE１００〜１０２の立場から見れば、最も高い受信電力のデータ信号がUE１０２宛のデータ信号であり、最も低い受信電力のデータ信号がUE１００宛のデータ信号である。各UE１００〜１０２は最も高い受信電力のデータ信号をまず復調する。その復調されたデータ信号は最もセルエリア１ａの境界に近い位置にあるUE１０２宛のデータ信号であるから、UE１０２は復調を終了し、その復調されたデータ信号を使用する。他の各UE１００，１０１は、受信信号からその復調されたデータ信号に相当する干渉成分（レプリカ信号）を干渉キャンセラにより除去し、２番目に高い受信電力のデータ信号を復調する。その復調されたデータ信号は２番目にセルエリア１ａの境界に近い位置にあるUE１０１宛のデータ信号であるから、UE１０１は復調を終了し、その復調されたデータ信号を使用する。このように高い受信電力のデータ信号の復調とキャンセルを必要に応じて繰り返すことにより、すべてのUE１００〜１０２はそのUE宛のデータ信号を復調することができる。このように、NOMAでは、UEはそのUEを宛先とするデータ信号を復調するまで、サービング基地局１から送信された他のUEを宛先とするデータ信号（干渉信号）をキャンセルする。
【００２８】
上記のSLICおよびMLでは、干渉信号を復調して復調結果のレプリカ信号を受信信号からキャンセルする。一方、CWICでは、干渉信号の復調だけでなく復号まで行って、復号結果のレプリカ信号を受信信号からキャンセルする。以下の説明では、SLICおよびMLでの干渉信号の復調、ならびにCWICでの干渉信号の復調および復号の組合せを、単に「復調」と呼ぶ。
【００２９】
図３は、NOMAにおける各ユーザ装置への基地局での下りリンク送信電力の割り当ての他の例を示す図である。UE１００〜１０２は、送信電力が異なるデータ装置の１つのグループを構成し、UE１０３〜１０５は、送信電力が異なるデータ装置の他の１つのグループを構成する。受信電力が低いUE（例えばUE１０３）は、UE自身が属するグループに属する受信電力が高い他のUE（例えばUE１０４，１０５）宛のデータ信号を復調して、復調結果のレプリカ信号をキャンセルする。
【００３０】
図４は、NOMAにおける各ユーザ装置への基地局での下りリンク送信電力の割り当ての他の例を示す図である。この例では、UE１０３に最高の送信電力が割り当てられ、UE１０１，１０２に中位の送信電力が割り当てられ、UE１００に最低の送信電力が割り当てられる。UE１０１，１０２には同じ送信電力が割り当てられるが、UE１００，１０１，１０３は、送信電力が異なるデータ装置の１つのグループを構成し、UE１００，１０２，１０３は、送信電力が異なるデータ装置の他の１つのグループを構成する。UE１０１，１０２はUE１０３宛のデータ信号を復調して、復調結果のレプリカ信号をキャンセルする。UE１００は、UE１００が属する両方のグループに属する他のUE（つまりUE１０１〜１０３）宛のデータ信号を復調する。
【００３１】
ＬＴＥにおいて、データ信号の復調または復号には、そのデータ信号の宛先のUEに対応する制御信号（PDCCH（physical dedicated control channel）信号）で送信される各種の情報要素が必要である。したがって、干渉キャンセラは、他のUEに対応するPDCCH信号を解読する必要がある。PDCCHで送信される情報要素は、3GPP TS 36.212 V11.4.0の節5.3.3.1に記載されており、ＤＣＩ（Downlink Control Information）フォーマットにより異なる。
【００３２】
図５は、NOMAで使用される干渉キャンセラの代表的な候補で必要とされるPDCCHの情報要素を示す。特に、CWICは、SLICおよびMLよりも多くの情報要素を必要とする。干渉キャンセラが設けられたUEは、干渉源である他のUEのこれらの各種の情報要素を知る必要がある。干渉をキャンセルすべきUEを宛先とするPDCCH信号に、他のUE宛のこれらの制御情報要素を含めることが考えられる。しかし、各UEのPDCCH信号で送信できる情報量は限られているので、他のUE宛の制御情報要素を送るのは困難なことがありうる。また、基地局から干渉をキャンセルすべきUEにこれらの情報要素を伝達するのは、トラフィックの増大を招き、通信効率を阻害する。
【００３３】
第１の実施の形態
そこで、本発明の第１の実施の形態に係る基地局は、干渉をキャンセルすべきUEを宛先とするPDCCH信号に、キャンセルされるデータ信号の宛先である他のUEのC-RNTI (Cell-Radio Network Temporary ID) を含める。なお、以下では説明の簡単のためC-RNTIを単にRNTIと称する。ＬＴＥでは、PDCCH信号をそのPDCCH信号の宛先であるUEのRNTIでスクランブルした形式で送信する。各UEは、UE自身のRNTIを用いて、UE自身を宛先とするPDCCHをデスクランブルすることができる。PDCCH信号には、RNTIでスクランブルされたＣＲＣ（Cyclic Redundancy Check）ビットが含まれており、PDCCH信号をデスクランブルすることで得られるRNTIがUE自身のRNTIと一致すれば、そのPDCCH信号はそのUEのためのPDCCH信号である。同じ原理を利用して、UEが他のUEのRNTIを知っていれば、他のUEのPDCCH信号をデスクランブルして、それに含まれる制御情報要素を解読することができる。
【００３４】
図６は本発明の第１の実施の形態に係る基地局の構成を示すブロック図である。基地局１は、制御部３０、無線送信部３２、複数の送信アンテナ３３、無線受信部３４、受信アンテナ３５および基地局間通信部３６を備える。
【００３５】
無線送信部３２は、基地局１が各UEへ無線送信を行うため電気信号を送信アンテナ３３から送信する電波に変換するための送信回路である。送信アンテナ３３はアダプティブアンテナアレイを構成する。無線受信部３４は、基地局１が各UEから無線受信を行うため受信アンテナ３５から受信した電波を電気信号に変換するための受信回路である。基地局間通信部３６は、基地局１が他の基地局と通信を行うための通信インターフェイスである。
【００３６】
制御部３０は、ＣＱＩ報告処理部３８、制御信号生成部４０、スケジューラ４１および下りリンク送信電力決定部４２を備える。制御部３０は、コンピュータプログラムに従って動作するＣＰＵ（central processing unit）である。ＣＱＩ報告処理部３８、制御信号生成部４０、スケジューラ４１および下りリンク送信電力決定部４２は、制御部３０がそのコンピュータプログラムに従って機能することによって実現される機能ブロックである。
【００３７】
制御部３０は、基地局１に接続された各UEから送信され無線受信部３４で受信された上りリンクのデータ信号を処理する。ＣＱＩ報告処理部３８は、基地局１に接続された各UEから報告され無線受信部３４で受信されたＣＱＩ（チャネル品質インジケータ）に基づいて、各UEでのＳＩＮＲを認識する。
【００３８】
制御信号生成部４０は、各UEでのＳＩＮＲおよびその他のパラメータに基づいて、各UEを宛先とする制御信号（PDCCH信号）を生成する。スケジューラ４１は、各UEでのＳＩＮＲおよび／またはその他のパラメータに基づいて、基地局１に接続された複数のUEをそれぞれ宛先とする下りリンクのデータ信号を送信するための周波数リソースおよび時間リソースを決定する。また、スケジューラ４１はNOMAの対象のUEを決定する。
【００３９】
下りリンク送信電力決定部４２は、各UEでのＳＩＮＲに基づいて、基地局１に接続されたNOMAの対象の各UEに対する下りリンクデータ送信に使用する下りリンク送信電力を決定する。つまり、下りリンク送信電力決定部４２は、複数のUEの受信品質に応じて、これらのUEの各々に、下りリンクデータ送信に使用される異なる下りリンク送信電力の１つを割り当てる。下りリンク送信電力の決定の手法は、NOMAに関する公知の手法またはNOMAに適する手法のいずれでもよい。下りリンク送信電力決定部４２は、受信品質が低いUEに高い下りリンク送信電力を割り当てる。
【００４０】
制御部３０は、基地局１に接続された複数のUEをそれぞれ宛先とする下りリンクのデータ信号およびPDCCH信号を無線送信部３２に供給する。無線送信部３２は、下りリンクのデータ信号およびPDCCH信号を送信アンテナ３３により送信する。無線送信部３２は、下りリンク送信電力決定部４２で決定された下りリンク送信電力で各データ信号が送信されるように、NOMA対象の複数のUEをそれぞれ宛先とする互いに直交しない複数のデータ信号が混合された混合データ信号を送信する。したがって、同時に同じ周波数が下りリンク送信で使用される複数のUEに対して、異なる下りリンク送信電力でデータ信号が送信される。また、無線送信部３２は、複数のPDCCH信号をそれぞれ複数のUEに送信して、各UEがそのUE自身に対応するPDCCH信号を用いてそのUE自身を宛先とするデータ信号を復号することができるようにする。
【００４１】
無線送信部３２は、各PDCCH信号をそのPDCCH信号に対応するUEのRNTIでスクランブルした形式で送信する。また、無線送信部３２は、NOMAによる干渉をキャンセルすべきUEを宛先とするPDCCH信号に、キャンセルされるデータ信号の宛先である他のUEのRNTIを含める。つまり、無線送信部３２は、下りリンク送信電力決定部４２で決定された下りリンク送信電力が最高ではない第１のデータ信号の宛先である第１のUEのためのPDCCH信号に、混合データ信号に第１のデータ信号と混合されている第２のデータ信号の宛先である第２のUEのRNTIを含め、これによって第１のUEが第２のUEのためのPDCCH信号をデスクランブルできるようにする。RNTIのビット数は１６であるが、RNTIのビット長はシステムに依存することとなる。但し、無線送信部３２は、第１のUEに、第２のUEのためのPDCCH信号の送信に使用されている無線リソースを示す情報を送信しない。
【００４２】
この実施の形態では、無線送信部３２は、NOMAで多重される電力が低いUEに、そのUEと同じグループに属しそのUEより電力が高いUEのRNTIを通知する。
【００４３】
具体的には、図３に示す下りリンク送信電力の割り当ての場合には、無線送信部３２は、UE１０２，１０５宛のPDCCH信号には他のUEのRNTIを含めない。無線送信部３２は、UE１０１宛のPDCCH信号にはUE１０２のRNTIを含め、UE１００宛のPDCCH信号にはUE１０１のRNTIを含める。無線送信部３２は、UE１０４宛のPDCCH信号にはUE１０５のRNTIを含め、UE１０３宛のPDCCH信号にはUE１０４のRNTIを含める。UE１０１は、UE１０２のRNTIを用いてUE１０２のPDCCH信号を解読し、そのPDCCH信号に含まれる情報要素を用いてUE１０２宛のデータ信号を復調することができる。UE１０４は、UE１０５のRNTIを用いてUE１０５のPDCCH信号を解読し、そのPDCCH信号に含まれる情報要素を用いてUE１０５宛のデータ信号を復調することができる。UE１００は、UE１０１のRNTIを用いてUE１０１のPDCCH信号を解読し、さらにそこに含まれるUE１０２のRNTIを用いてUE１０２のPDCCH信号を解読し、そのPDCCH信号に含まれる情報要素を用いてUE１０２宛のデータ信号を復調することができる（その後、UE１０１のPDCCH信号を用いてUE１０１宛のデータ信号を復調することができる）。UE１０３は、UE１０４のRNTIを用いてUE１０４のPDCCH信号を解読し、さらにそこに含まれるUE１０５のRNTIを用いてUE１０５のPDCCH信号を解読し、そのPDCCH信号に含まれる情報要素を用いてUE１０５宛のデータ信号を復調することができる（その後、UE１０４のPDCCH信号を用いてUE１０４宛のデータ信号を復調することができる）。
【００４４】
図４に示す下りリンク送信電力の割り当ての場合には、無線送信部３２は、UE１０３宛のPDCCH信号には他のUEのRNTIを含めない。無線送信部３２は、UE１０１宛のPDCCH信号にはUE１０３のRNTIを含め、UE１０２宛のPDCCH信号にはUE１０３のRNTIを含める。無線送信部３２は、UE１００宛のPDCCH信号にはUE１０１のRNTIとUE１０２のRNTIを含める。UE１０１およびUE１０２は、UE１０３のRNTIを用いてUE１０３のPDCCH信号を解読し、そのPDCCH信号に含まれる情報要素を用いてUE１０３宛のデータ信号を復調することができる。UE１００は、UE１０１のRNTIを用いてUE１０１のPDCCH信号を解読し、UE１０２のRNTIを用いてUE１０２のPDCCH信号を解読し、さらにそれらのPDCCH信号に含まれるUE１０３のRNTIを用いてUE１０３のPDCCH信号を解読し、そのPDCCH信号に含まれる情報要素を用いてUE１０３宛のデータ信号を復調することができる（その後、UE１０１のPDCCH信号を用いてUE１０１宛のデータ信号を復調し、UE１０２のPDCCH信号を用いてUE１０２宛のデータ信号を復調することができる）。
【００４５】
図７は第１の実施の形態に係るUE１０の構成を示すブロック図である。上述したUE（UE１００等）はUE１０と同じ構成を有する。UE１０は、制御部５０、無線送信部５２、送信アンテナ５３、無線受信部５４および複数の受信アンテナ５５を備える。
【００４６】
無線送信部５２は、UE１０がサービング基地局へ無線送信を行うため電気信号を送信アンテナ５３から送信する電波に変換するための送信回路である。無線受信部５４は、UE１０がサービング基地局から無線受信を行うため受信アンテナ５５から受信した電波を電気信号に変換するための受信回路である。受信アンテナ５５はアダプティブアンテナアレイを構成する。
【００４７】
制御部５０は、コンピュータプログラムに従って動作するＣＰＵである。制御部５０は、受信品質測定部６０、ＣＱＩ報告部６１、第１のPDCCHデスクランブリング部（第１のデスクランブリング部）６２、認識部６４、第２のPDCCHデスクランブリング部（第２のデスクランブリング部）６６、非直交信号復調部６８、非直交信号キャンセル部７０、および所望データ信号復調復号部（所望データ信号復号部）７２を備える。これらの制御部５０の内部要素は、制御部５０がそのコンピュータプログラムに従って機能することによって実現される機能ブロックである。
【００４８】
制御部５０は、上りリンクのデータ信号を無線送信部５２に供給し、無線送信部５２は、上りリンクのデータ信号を送信アンテナ５３によりサービング基地局に送信する。受信品質測定部６０は、無線受信部５４で受信された無線信号のＳＩＮＲを測定する。ＣＱＩ報告部６１はＳＩＮＲに基づいてＣＱＩを生成し、ＣＱＩを無線送信部５２に供給する。無線送信部５２は、ＣＱＩを制御チャネルでサービング基地局に送信する。
【００４９】
無線受信部５４は、サービング基地局から、複数のUEをそれぞれ宛先とする異なる電力を持つ互いに直交しない複数のデータ信号が含まれた混合データ信号と、複数のUEに対応する複数のPDCCH信号を受信する。
【００５０】
第１のPDCCHデスクランブリング部６２は、UE１０自身のRNTIを用いて、UE１０自身に対応するPDCCH信号をデスクランブルする。認識部６４は、第１のPDCCHデスクランブリング部６２でデスクランブルされたUE１０自身に対応するPDCCH信号に含まれている情報から、混合データ信号に当該UE１０自身を宛先とする所望データ信号と混合されている少なくとも１つの非直交データ信号の宛先である少なくとも１つの他のUEのRNTIを認識する。
【００５１】
第２のPDCCHデスクランブリング部６６は、認識部６４で認識された他のUEのRNTIを用い、他のUEに対応するPDCCH信号をデスクランブルする。非直交信号復調部６８は、第２のPDCCHデスクランブリング部６６でデスクランブルされた他のUEに対応するPDCCH信号に含まれる制御情報要素を用いて、非直交データ信号を復調する。非直交信号キャンセル部７０は、非直交信号復調部６８で復調された非直交データ信号に相当するレプリカ信号を混合データ信号からキャンセルする。したがって、第２のPDCCHデスクランブリング部６６、非直交信号復調部６８および非直交信号キャンセル部７０は、このUEの干渉キャンセラを構成する。干渉キャンセラは、SLICでもCWICでもMLでもよい。干渉キャンセラがCWICであれば、非直交信号復調部６８は非直交データ信号の復調だけでなく復号も行う。
【００５２】
所望データ信号復調復号部７２は、第１のPDCCHデスクランブリング部６２でデスクランブルされたUE自身に対応するPDCCH信号を用いて、非直交信号キャンセル部７０から出力される信号から、所望データ信号を復号する。
【００５３】
図８は、UE１０で実行される処理を示すフローチャートである。第１のPDCCHデスクランブリング部６２は、ステップＳ１で基地局から送信される複数のPDCCH信号（UE１０のPDCCH信号を含む複数のPDCCH信号）の１つの候補を選択し、ステップＳ２で、UE１０自身のRNTIを用いて、UE１０自身に対応するPDCCH信号のデスクランブルを試行する。PDCCH信号には、RNTIでスクランブルされたＣＲＣビットが含まれており、選択されたPDCCH信号の候補をデスクランブルすることで得られるRNTIがUE自身のRNTIと一致すれば、そのPDCCH信号の候補はそのUEのためのPDCCH信号である。ステップＳ４で第１のPDCCHデスクランブリング部６２がUE自身のPDCCH信号のデスクランブリングに成功しなかったと判定した場合（PDCCH信号の候補をデスクランブルすることで得られるRNTIがUE自身のRNTIと一致しない場合）、第１のPDCCHデスクランブリング部６２は他のPDCCH信号の候補を選択し（ステップＳ５）、そのPDCCH信号の候補をデスクランブルする（ステップＳ２）。
【００５４】
ステップＳ４で第１のPDCCHデスクランブリング部６２がUE自身のPDCCH信号のデスクランブリングに成功したと判定した場合（PDCCH信号の候補をデスクランブルすることで得られるRNTIがUE自身のRNTIと一致した場合）、ステップＳ６で認識部６４は、デスクランブルされたUE１０自身に対応するPDCCH信号に含まれている情報に他のUEのRNTIが含まれているか否か判定する。
【００５５】
UE１０自身のPDCCHに他のUEのRNTIが含まれていない場合には、第２のPDCCHデスクランブリング部６６、非直交信号復調部６８および非直交信号キャンセル部７０が動作せずに、所望データ信号復調復号部７２は、混合データ信号をUE１０自身の所望データ信号として復調および復号する（ステップＳ７）。すなわち、NOMAの各グループで最高送信電力が割り当てられたUE（例えば、図３の例で、UE１０２またはUE１０５）は、干渉キャンセラを働かせることなく、受信したデータ信号をUE自身の所望データ信号として復調および復号する。
【００５６】
UE１０自身のPDCCHに他のUEのRNTIが含まれる場合には、第２のPDCCHデスクランブリング部６６は、ステップＳ８で１つのCCEを選択し、ステップＳ９で、他のUEのRNTIを用いて、そのCCEでのPDCCH信号候補のデスクランブルを試行する。PDCCH信号候補をデスクランブルすることで得られるRNTIが当該RNTIと一致すれば、そのPDCCH信号は当該他のUEのためのPDCCH信号である。ステップＳ１０で第２のPDCCHデスクランブリング部６６が他のUEのPDCCH信号のデスクランブリングに成功しなかったと判定した場合（PDCCH信号候補をデスクランブルすることで得られるRNTIがステップＳ６で認識された他のUEのRNTIと一致しない場合）、第２のPDCCHデスクランブリング部６６は他のCCEを選択し（ステップＳ１１）、他のPDCCH信号候補をデスクランブルする（ステップＳ９）。CCEについては、第３の実施の形態に関連して後述する。
【００５７】
ステップＳ１０で第２のPDCCHデスクランブリング部６６が他のUEのPDCCH信号のデスクランブリングに成功したと判定した場合（PDCCH信号の候補をデスクランブルすることで得られるRNTIがステップＳ６で認識された他のUEのRNTIと一致した場合）、デスクランブリングで得られたPDCCH信号の候補は、このUE１０が属するグループに属するより高い電力が割り当てられた他のUEに対応するPDCCH信号であり、当該他のUE宛のデータ信号（非直交データ信号）を復調するために必要な制御情報要素（図５参照）を含む。したがって、ステップＳ１２で、非直交信号復調部６８は、それらの制御情報要素を用いて非直交データ信号を復調する。そして、ステップＳ１３で、非直交信号キャンセル部７０は、非直交データ信号に相当するレプリカ信号を混合データ信号からキャンセルする。
【００５８】
UE１０自身のPDCCH信号にさらに他のUEのRNTIが含まれている場合には、ステップＳ１４の判断が肯定的であり、処理はステップＳ８に戻る。ステップＳ１０でデスクランブリングに成功したと判断された他のUEのPDCCH信号にさらに他のUEのRNTIが含まれている場合には、ステップＳ１５の判断が肯定的であり、処理はステップＳ８に戻る。
【００５９】
もはやチェックすべき他のUEのRNTIがない場合（ステップＳ１４の判断およびステップＳ１５の判断が否定的な場合）、UE１０自身宛の所望データ信号には、UE１０が属するグループに属するより高電力の他のUE宛の干渉データ信号が重なっていない状態である。この場合には、所望データ信号復調復号部７２は、第１のPDCCHデスクランブリング部６２でデスクランブルされたUE自身に対応するPDCCH信号を用いて、非直交信号キャンセル部７０から出力される信号から、所望データ信号を復号する（ステップＳ１６）。
【００６０】
例えば図３のUE１０１は、UE１０２宛のデータ信号をキャンセルした後、ステップＳ１４の判断およびステップＳ１５の判断が否定的であり、UE１０１宛のデータ信号を復調する。図３のUE１００は、UE１０２宛のデータ信号をキャンセルした後、ステップＳ１５の判断が肯定的であるから、さらにUE１０１宛のデータ信号をキャンセルしてUE１００宛のデータ信号を復調する。
【００６１】
例えば図４のUE１００は、UE１０１宛のデータ信号をキャンセルした後、ステップＳ１４の判断が肯定的であるから、さらにUE１０２宛のデータ信号をキャンセルし、ステップＳ１４の判断が否定的になった後に、UE１００宛のデータ信号を復調する。
【００６２】
この実施の形態に係る基地局によれば、下りリンク送信電力が最高ではない第１のデータ信号の宛先である第１のUEのためのPDCCH信号に、混合データ信号に第１のデータ信号と混合されている少なくとも１つの第２のデータ信号の宛先である少なくとも１つの第２のUEのRNTI（１６ビット）を含めるので、第１のUEは、第２のUEのRNTIを用いて、第２のUEのためのPDCCH信号をデスクランブルして、第２のデータ信号を復調し、第２のデータ信号に相当するレプリカ信号を混合データ信号からキャンセルすることができる。一方、第１のUEには、第２のUEのためのPDCCH信号の送信に使用されている無線リソースを示す情報が送信されないので、PDCCH信号で送信される干渉キャンセラのための情報量の拡大を抑制することができる。このようにして、トラフィックの増大を抑制することができる。
【００６３】
この実施の形態に係るUEは、UE１０自身に対応するPDCCH信号に含まれている情報から少なくとも１つの他のUEのRNTIを認識し、他のUEのRNTIを用い、複数のPDCCH信号の１つのPDCCH信号のデスクランブリングを試行し、デスクランブリングが成功した場合には、非直交データ信号を復調して、非直交データ信号に相当するレプリカ信号を混合データ信号からキャンセルする。このようにして、UEは、他のUEのためのPDCCH信号の送信に使用されている無線リソースを知らなくても、ブラインド復号で他のUEのPDCCH信号を解読し、非直交データ信号を復調して、非直交データ信号に相当するレプリカ信号を混合データ信号からキャンセルすることができる。したがって、このUEは、PDCCH信号で送信される干渉キャンセラのための情報量の拡大の抑制に寄与する。
【００６４】
NOMAでは、送信電力が異なるデータ信号のグループが複数ありうる（UEのグループが複数ありうる）ところ、この実施の形態に係る基地局の無線送信部３２は、下りリンク送信電力決定部４２で決定された下りリンク送信電力が最高ではない第１のデータ信号の宛先である第１のUEのためのPDCCH信号に、混合データ信号に第１のデータ信号と混合されている第２のデータ信号の宛先である第２のUEのRNTIを含め、これによって第１のUEが第２のUEのためのPDCCH信号をデスクランブルできるようにする。つまり、無線送信部３２は、NOMAで多重される電力が低いUEに、そのUEと同じグループに属しそのUEより電力が高いUEのRNTIを通知する。他のグループに属するUEのRNTIは通知されない。
【００６５】
そして、この実施の形態に係るUEは、UE１０自身に対応するPDCCH信号から、混合データ信号に当該UE１０自身を宛先とする所望データ信号と混合されている非直交データ信号の宛先である少なくとも１つの他のUEのRNTIを認識する。つまり、UEは、UE１０自身が属するグループと同じグループに属する他のUEのRNTIを認識する。したがって、UEが他のUEのRNTIを用い、複数のPDCCH信号の１つのPDCCH信号のデスクランブリングを試行し、デスクランブリングが成功した場合には（ステップＳ１０の判断が肯定的な場合には）、デスクランブルされたPDCCH信号は、UE１０自身が属するグループと同じグループに属する他のUEのためのPDCCH信号であり、非直交データ信号に対応する。このため、デスクランブリングが成功した場合には、非直交データ信号を復調することができる（ステップＳ１２）ので、UEの処理の負荷が軽減される。
【００６６】
図９は、比較例のUE１０で実行される処理を示すフローチャートである。この比較例では、NOMAの対象の低電力が割り当てられたUEに、そのUEが属するグループだけでなく、NOMAのすべてのグループに属する他のUEのRNTIが通知される。このような場合には、UEが他のUEのRNTIを用い、複数のPDCCH信号の１つのPDCCH信号のデスクランブリングを試行し、デスクランブリングが成功したとしても（ステップＳ１０の判断が肯定的であるとしても）、デスクランブルされたPDCCH信号は、UE１０自身が属するグループと同じグループに属する他のUEのためのPDCCH信号であるとは限らない。
【００６７】
そこで、比較例の処理では、ステップＳ１２Ａで、非直交信号復調部６８は、他のUEのためのPDCCH信号内の制御情報要素を用いて非直交データ信号の復調を試行し、ステップＳ１２Ｂで復調に成功したか否か判断する。非直交データ信号の復調に成功すれば、ステップＳ１３で、非直交信号キャンセル部７０は、非直交データ信号に相当するレプリカ信号を混合データ信号からキャンセルする。しかし、非直交データ信号の復調に失敗した場合には、復調に用いたPDCCH信号は、他のグループのUEのPDCCH信号であって、UE１０宛の所望データ信号に重なった干渉データ信号に対応しないので、処理はステップＳ１２Ｃに進み、他のRNTIが選択される。このように比較例の処理が複雑であるのに対して、実施の形態の処理はより簡潔である。
【００６８】
第２の実施の形態
次に本発明の第２の実施の形態を説明する。第１の実施の形態では、PDCCH信号を利用して、UEにNOMAで多重されている干渉UEのRNTIを通知する。RNTIの長さは１６ビットであり、PDCCH信号の周期は１サブフレーム（１ｍｓ）である。しかし、PDCCH信号で送信できる情報量は限られており、その情報量を抑制すべきである。また、１サブフレームの周期でRNTIを送信するのは通信効率上よくない。
【００６９】
そこで本発明の第２の実施の形態では、基地局は、PDCCH信号の送信周期よりも長い周期で、互いに直交しない複数のデータ信号の宛先である複数のUEの複数のRNTIと、RNTIよりも小さい長さを有する複数のインデックスとが一対一で対応づけられたリストを、NOMAの対象の複数のUEに通知し、NOMAの対象のUEのPDCCH信号に、そのUEが属するグループに属する高い電力が割り当てられた他のUEに対応するインデックスを含める。
【００７０】
図１０は、第２の実施の形態で使用されるリストの例を示す。各RNTIには、インデックスが一対一で対応づけられている。RNTIが１６ビットの長さを有するのに対し、インデックスはそれより小さい長さを有する。このリストは、基地局でNOMAが適用されるすべてのグループのUEのRNTIを包含してよい。このリストは、上位レイヤシグナリング(RRC（無線リソース制御）シグナリング) により、準静的に（Semi-staticに）、すべてのグループの送信電力が最高ではないUEに通知してよい。例えば通知の周期は、１００ｍｓまたは１ｓでよい。
【００７１】
基地局の無線送信部３２（図６参照）は、１ｍｓ周期で送信される第１のUE（NOMAの対象の下りリンク送信電力が最高ではないUE）のPDCCH信号に少なくとも１つの第２のUE（第１のUEが属するグループに属するより下りリンク送信電力が高いUE）に対応するインデックスを含める。図１０に示すリストをUEがあらかじめ受信することにより、例えば、インデックス００がPDCCH信号で通知されれば、インデックスとリストからUEは第２のUEのRNTIが０１２３であることを認識することができる。
【００７２】
インデックスはRNTIより小さい長さを有するので、PDCCH信号で送信される干渉キャンセラのための情報量の拡大をさらに抑制することができる。既存のデータ圧縮技術でリストを圧縮してもよい。圧縮により、上位レイヤシグナリングで送信される情報量の拡大も抑制することができる。
【００７３】
他の特徴は第１の実施の形態と同じでよい。UE１０の無線受信部５４（図７参照）は、PDCCH信号の送信周期（１ｍｓ）よりも長い周期（例えば１００ｍｓまたは１ｓ）で、互いに直交しない複数のデータ信号の宛先である複数のUEの複数のRNTIと、RNTIよりも小さい長さを有する複数のインデックスとが一対一で対応づけられたリストを示す情報を、基地局から受信する。また、NOMAの対象の下りリンク送信電力が最高ではないUE１０の無線受信部５４は、少なくとも１つの他のUEに対応するインデックスを含む、当該UE自身のPDCCH信号を受信する。
【００７４】
UE１０で実行される処理（図８参照）において、ステップＳ４で第１のPDCCHデスクランブリング部６２がUE自身のPDCCH信号のデスクランブリングに成功したと判定した場合（PDCCH信号をデスクランブルすることで得られるRNTIがUE自身のRNTIと一致した場合）、ステップＳ６で認識部６４は、デスクランブルされたUE１０自身に対応するPDCCH信号に含まれている情報に他のUEのインデックスが含まれているか否か判定する。UE自身のPDCCH信号に他のUEのインデックスが含まれていれば、UE１０の認識部６４は、UE自身のPDCCH信号に含まれるインデックスと、あらかじめ受信しているリストから、他のUEのRNTIを認識する。
【００７５】
また、ステップＳ１５では、ステップＳ１０でデスクランブリングに成功したと判断された他のUEのPDCCH信号にさらに他のUEのRNTIが含まれているか否か、認識部６４は判定する。このとき、認識部６４は、デスクランブルされた他のUEに対応するPDCCH信号に含まれている情報にさらに他のUEのインデックスが含まれているか否か判定する。他のUEのPDCCH信号にさらに他のUEのインデックスが含まれていれば、UE１０の認識部６４は、他のUEのPDCCH信号に含まれるインデックスと、あらかじめ受信しているリストから、さらに他のUEのRNTIを認識する。
【００７６】
以上のように、この実施の形態によれば、PDCCH信号の送信周期よりも長い周期で、互いに直交しない複数のデータ信号の宛先である複数のUEの複数のRNTIと複数のインデックスとが一対一で対応づけられたリストが複数のUEに通知される。第１のUEのPDCCH信号には、少なくとも１つの第２のUEに対応するインデックスが含まれる。第１のUEは、リストと第２のUEに対応するインデックスから第２のUEのRNTIを特定し、第２のUEのRNTIを用いて、第２のUEのためのPDCCH信号をデスクランブルして（ステップＳ９）、第２のデータ信号を復調し（ステップＳ１２）、第２のデータ信号に相当するレプリカ信号を混合データ信号からキャンセルすることができる（ステップＳ１３）。
【００７７】
この実施の形態は第１の実施の形態と同様の効果を達成する。さらに、第１のUEのPDCCH信号に含まれるインデックスは、RNTIよりも小さい長さを有するので、PDCCH信号で送信される干渉キャンセラのための情報量の拡大を抑制することができる。このようにして、トラフィックの増大をさらに抑制することができる。
【００７８】
第１の実施の形態では、PDCCH信号の情報量の拡大を抑制するため、基地局の無線送信部３２は、第１のUEのPDCCH信号に、第２のUEのためのPDCCH信号の送信に使用されている無線リソースを示す情報を含めない。この実施の形態では、第１の実施の形態と同様に、無線送信部３２は、第１のUEのPDCCH信号に、第２のUEのためのPDCCH信号の送信に使用されている無線リソースを示す情報を含めなくてもよい。第２の実施の形態の変形として、第１の実施の形態と異なり、無線送信部３２は、第１のUEのPDCCH信号に、第２のUEのためのPDCCH信号の送信に使用されている無線リソースを示す情報（具体的には後述するCCEインデックス）を含めてもよい。
【００７９】
第３の実施の形態
次に本発明の第３の実施の形態を説明する。第３の実施の形態は、第１の実施の形態、第２の実施の形態およびその変形のいずれにも適用することができる。
【００８０】
ＬＴＥでは、PDCCH信号の送信にアグリゲーションレベル（Aggregation level）という概念が使用される。図１１は、アグリゲーションレベルを示す。PDCCHは、PCFICH（physical control format indicator channel）およびPHICH（physical Hybrid-ARQ indicator channel）以外のREG（resource element group）に割り当てられる。PDCCHの割り当てには、CCE（Control Channel Element）という概念が使用される。１つのCCEは連続する９個のREGであり、１つのREGは４つのリソースエレメントである。
【００８１】
PDCCHで送信されるDCIが割り当てられるCCEの数は、アグリゲーションレベルにより異なる。アグリゲーションレベルは１，２，４，８のいずれかである。以降では、8個のCCEを用いて説明する。アグリゲーションレベル１では、８個のCCEで８のUEに対応する８のPDCCH信号が送信される。すなわちインデックス０のCCEで１のUEに対応する１のPDCCH信号が送信され、インデックス１のCCEで１のUEに対応する１のPDCCH信号が送信され、インデックス２のCCEで１のUEに対応する１のPDCCH信号が送信される。このように各CCEで１のUEに対応する１のPDCCH信号が送信される。
【００８２】
アグリゲーションレベル２では、８個のCCEで４のUEに対応する４のPDCCH信号が送信される。すなわちインデックス０，１のCCEで１のUEに対応する１のPDCCH信号が送信され、インデックス２，３のCCEで１のUEに対応する１のPDCCH信号が送信され、インデックス４，５のCCEで１のUEに対応する１のPDCCH信号が送信される。このように各対のCCEで１のUEに対応する１のPDCCH信号が送信される。
【００８３】
アグリゲーションレベル４では、８個のCCEで２のUEに対応する２のPDCCH信号が送信される。すなわちインデックス０〜３のCCEで１のUEに対応する１のPDCCH信号が送信され、インデックス４〜７のCCEで１のUEに対応する１のPDCCH信号が送信され、インデックス８〜１１のCCEで１のUEに対応する１のPDCCH信号が送信される。このように４つのCCEで構成される各セットで、１のUEに対応する１のPDCCH信号が送信される。
【００８４】
アグリゲーションレベル８では、８個のCCEで１のUEに対応する１のPDCCH信号が送信される。すなわちインデックス０〜７のCCEで１のUEに対応する１のPDCCH信号が送信され、インデックス８〜１５のCCEで１のUEに対応する１のPDCCH信号が送信され、インデックス１６〜２３のCCEで１のUEに対応する１のPDCCH信号が送信される。このように８つのCCEで構成される各セットで、１のUEに対応する１のPDCCH信号が送信される。
【００８５】
このようにアグリゲーションレベルが低いほど、１のUE（１のPDCCH信号）に割り当てられるCCEは少なく、アグリゲーションレベルが高いほど、８個のCCEが使用されるUEの数（PDCCH信号の数）は少ない。これは、下りリンクの受信品質が低いUEに、高いアグリゲーションレベルを与えて、PDCCH信号の受信成功確率を高めるためである。アグリゲーションレベルは、UEからフィードバックされるCQI、ACK/NACKなどに基づいて、基地局で設定される。下りリンクの受信品質が良いUEには、低いアグリゲーションレベルが設定され、下りリンクの受信品質が悪いUEには高いアグリゲーションレベルが設定される。
【００８６】
基地局は、UEにUE自身のPDCCHが割り当てられたアグリゲーションレベルおよびCCEを通知しない。しかし、UEは全ての、もしくは一部のアグリゲーションレベルでPDCCH信号の解読を試行し、UEがUE自身のPDCCH信号の解読に成功すれば（多くのPDCCH信号の中からUE自身のPDCCH信号を特定できれば）、そのCCEが分かるので、アグリゲーションレベルもわかる。
UEによるPDCCH信号の特定を容易にするため、CCEの割り当てには、制約がある。具体的には、インデックス０のCCEにアグリゲーションレベル１のUEが割り当てられていれば、インデックス１のCCEにはアグリゲーションレベル１の他のUEしか割り当てられないが、インデックス２のCCEにはアグリゲーションレベル１または２の他のUEが割り当てられうるし、インデックス４のCCEにはアグリゲーションレベル１，２または４の他のUEが割り当てられうる（インデックス１〜７のCCEにアグリゲーションレベル８の他のUEは割り当てられない）。インデックス０のCCEにアグリゲーションレベル２のUEが割り当てられていれば、その後のインデックス１のCCEにはそのUEしか割り当てられず、インデックス２のCCEにはアグリゲーションレベル１または２の他のUEが割り当てられうるし、インデックス４のCCEにはアグリゲーションレベル１，２または４の他のUEが割り当てられうる（インデックス１〜７のCCEにアグリゲーションレベル８の他のUEは割り当てられない）。インデックス０のCCEにアグリゲーションレベル４のUEが割り当てられていれば、インデックス１〜３のCCEにそのUEしか割り当てられず、インデックス４のCCEにはアグリゲーションレベル１，２または４の他のUEが割り当てられうる（インデックス１〜７のCCEにアグリゲーションレベル８の他のUEは割り当てられない）。インデックス０のCCEにアグリゲーションレベル８のUEが割り当てられていれば、その後のインデックス１〜７のCCEにはそのUEしか割り当てられない。つまり、アグリゲーションレベルがｎの場合には、ｎの倍数であるCCEインデックスがそのアグリゲーションレベルのUEのPDCCH信号のCCEの開始番号である。
【００８７】
上記のように、下りリンクの受信品質が良いUEには、低いアグリゲーションレベルが設定される。NOMAでは、下りリンクの受信品質が良いUEには低いデータ送信電力が割り当てられ、低いアグリゲーションレベルが設定される。一方、受信品質が悪いUEには高いデータ送信電力が割り当てられ，高いアグリゲーションレベルが設定される。したがって、NOMAで他のUEとデータ信号が重ねられたUEは、他のUE宛のPDCCHを解読するために自身よりも低いアグリゲーションレベルの解読を試みる必要性は低いことが想定される。よって、UE自身のアグリゲーションレベルに基づいて、他のUEのPDCCH信号を探す被サーチ空間を限定することができる。
【００８８】
UE自身に割り当てられたアグリゲーションレベルが４であれば、アグリゲーションレベルが８であるUE宛のデータ信号をキャンセルする必要があるが、アグリゲーションレベルが１，２または４であるUE宛のデータ信号をキャンセルする必要はない。したがって、UE自身に割り当てられたアグリゲーションレベルが４であれば、アグリゲーションレベル８のPDCCH信号（インデックスが８の倍数および０で開始する８個のCCEからなる各セット）を解読する必要があるが、アグリゲーションレベル１，２または４のPDCCH信号を解読する必要はない。つまり、１個のCCEからなる各セット、２個のCCEからなる各セット、および４個のCCEからなる各セットをPDCCH信号の解読対象から除外することができる。
【００８９】
UE自身に割り当てられたアグリゲーションレベルが２であれば、アグリゲーションレベルが４または８であるUE宛のデータ信号をキャンセルする必要があるが、アグリゲーションレベルが１または２であるUE宛のデータ信号をキャンセルする必要はない。したがって、UE自身に割り当てられたアグリゲーションレベルが２であれば、アグリゲーションレベル４および８のPDCCH信号（インデックスが４の倍数および０で開始するCCEのセット）を解読する必要があるが、アグリゲーションレベル１または２のPDCCH信号を解読する必要はない。つまり、１個のCCEからなる各セットおよび２個のCCEからなる各セットをPDCCH信号の解読対象から除外することができる。
【００９０】
UE自身に割り当てられたアグリゲーションレベルが１であれば、アグリゲーションレベルが２以上のPDCCH信号（インデックスが２の倍数および０で開始するCCEのセット）を解読する必要があるが、アグリゲーションレベル１のPDCCH信号を解読する必要はない。つまり、１個のCCEからなる各セットをPDCCH信号の解読対象から除外することができる。
【００９１】
図１２は、第３の実施の形態に係るUE１０の構成を示すブロック図である。このUE１０の制御部５０は、第１の実施の形態の内部要素に加えて、アグリゲーションレベル判定部７４を備える。アグリゲーションレベル判定部７４は、制御部５０がそのコンピュータプログラムに従って機能することによって実現される機能ブロックである。アグリゲーションレベル判定部７４は、当該UE自身に対応するPDCCH信号のCCEを判別し、そのCCEに基づいて、当該PDCCH信号に対応するアグリゲーションレベルを判定する。第２のPDCCHデスクランブリング部６６は、他のUEのRNTIを用いて、当該UE自身に対応するアグリゲーションレベルより高いアグリゲーションレベルに対応する複数のPDCCH信号のデスクランブリングを試行する。
【００９２】
図１３のフローチャートを参照し、第３の実施の形態に係るUE１０で実行される処理を説明する。この処理は図８に示す処理と類似し、図８に示す処理と同じステップを示すためには同一の符号が使用されており、そのようなステップについては詳細には説明しない。
【００９３】
図１３に示す処理においては、ステップＳ６の判断が肯定的な場合（UE１０自身のPDCCHに他のUEのRNTIが含まれる場合）には、ステップＳ８Ａでアグリゲーションレベル判定部７４は、当該UE自身に対応するPDCCH信号のCCEを判別し、そのCCEに基づいて、当該PDCCH信号に対応するアグリゲーションレベルを判定する。
【００９４】
また、ステップＳ８Ｂでアグリゲーションレベル判定部７４は、当該UE自身に対応するアグリゲーションレベルに基づいて、他のUEのPDCCH信号候補に対応するCCE群を判定する。上記の通り、例えば、UE自身に割り当てられたアグリゲーションレベルが２であれば、アグリゲーションレベル１または２のPDCCH信号を解読する必要はないので、１個のCCEからなる各セットおよび２個のCCEからなる各セットをPDCCH信号の解読対象から除外することができる。この場合、アグリゲーションレベル４および８のPDCCH信号を解読するため、インデックスが４の倍数および０で開始するCCEのセットをアグリゲーションレベル判定部７４は、他のUEのPDCCH信号候補に対応するCCE群として判定する。
【００９５】
ステップＳ８Ｃで、第２のPDCCHデスクランブリング部６６は、ステップＳ８Ｂで判定されたCCE群のうち１つのCCEを選択し、ステップＳ９で、他のUEのRNTIを用いて、そのCCEでのPDCCH信号候補のデスクランブルを試行する。このようにして、第２のPDCCHデスクランブリング部６６は、当該UE自身に対応するアグリゲーションレベルより高いアグリゲーションレベルに対応する複数のPDCCH信号候補のデスクランブリングを試行する。
【００９６】
ステップＳ１０で第２のPDCCHデスクランブリング部６６が他のUEのPDCCH信号のデスクランブリングに成功しなかったと判定した場合（PDCCH信号候補をデスクランブルすることで得られるRNTIがステップＳ６で認識された他のUEのRNTIと一致しない場合）、第２のPDCCHデスクランブリング部６６は、ステップＳ８Ｂで判定されたCCE群のうち他の１つのCCEを選択し（ステップＳ１１Ａ）、他のPDCCH信号候補をデスクランブルする（ステップＳ９）。
【００９７】
この実施の形態では、UE自身のアグリゲーションレベルに基づいて、他のUEのPDCCH信号を探す被サーチ空間を限定することができ、UEの処理負担を削減するとともに、他のUEのPDCCH信号を早く発見することができる。
【００９８】
第２のPDCCHデスクランブリング部６６は、当該UE自身に対応するアグリゲーションレベル以上のアグリゲーションレベルに対応する複数のPDCCH信号のデスクランブリングを、他のUEのRNTIを用いて試行してもよい。例えば、UE自身に割り当てられたアグリゲーションレベルが２であれば、アグリゲーションレベル４および８に加えてアグリゲーションレベル２のPDCCH信号を解読してもよく、ステップＳ８Ｂでアグリゲーションレベル判定部７４は、インデックスが２の倍数および０で開始するCCEのセットを、他のUEのPDCCH信号候補に対応するCCE群として判定する。これにより、第２のPDCCHデスクランブリング部６６は、当該UE自身に対応するアグリゲーションレベル２以上のアグリゲーションレベル２，４および８に対応する複数のPDCCH信号候補のデスクランブリングを試行する。
【００９９】
あるいは、ステップＳ８Ａで判定された当該UE自身のアグリゲーションレベルが１または２であれば、ステップＳ８Ｂでアグリゲーションレベル判定部７４は、インデックスが４の倍数および０で開始するCCEのセットを、他のUEのPDCCH信号候補に対応するCCE群として判定してもよい。この場合には、ステップＳ８Ｃでアグリゲーションレベル４および８のCCEが選択され、ステップＳ９で第２のPDCCHデスクランブリング部６６は他のUEのRNTIを用いてそのCCEでの他のUEのPDCCH信号候補のデスクランブリングを試行する。
【０１００】
ステップＳ１５の判断が肯定的な場合（ステップＳ１０でデスクランブリングに成功したと判断された他のUEのPDCCH信号にさらに他のUEのRNTIが含まれている場合）には、処理はステップＳ８Ｃに戻る。したがって、ステップＳ８Ｃで、第２のPDCCHデスクランブリング部６６は、ステップＳ８Ｂで判定されたCCE群のうち１つのCCEを選択する。しかし、ステップＳ１０で他のUEのPDCCH信号の解読に成功すれば、そのCCEが分かるので、他のUEのアグリゲーションレベルもわかる。したがって、ステップＳ１５の判断が肯定的な場合、他のUEのアグリゲーションレベルを判定し、それに基づいて、CCEを判定することによって、さらに他のUEのPDCCH信号を探す被サーチ空間を限定してもよい。
【０１０１】
第４の実施の形態
次に本発明の第４の実施の形態を説明する。第４の実施の形態は、第１の実施の形態、第２の実施の形態およびその変形のいずれにも適用することができる。
【０１０２】
第３の実施の形態に関連して上記したように、下りリンクの受信品質が良いUEには、低いアグリゲーションレベルが設定され、下りリンクの受信品質が悪いUEには高いアグリゲーションレベルが設定される。NOMAでは、下りリンクの受信品質が良いUEには低い送信電力が割り当てられ、そのUEは受信品質が悪く高い送信電力が割り当てられたUE宛のデータ信号をキャンセルする。したがって、高いアグリゲーションレベルが設定されたUEは、下りリンクの受信品質が悪く、高い送信電力が割り当てられたUEであり、このようなUEは、UE自身を宛先とする所望データ信号（高電力）に他のUEを宛先とする干渉データ信号（低電力）がNOMAによって重ねられていても、他のUEを宛先とするデータ信号をキャンセルせずに、所望データ信号を復号することができる。
【０１０３】
そこで、第４の実施の形態に係るUEは、当該UE自身に対応するPDCCH信号に基づいて、当該PDCCH信号に対応するアグリゲーションレベルを判定し、当該UE自身に対応するアグリゲーションレベルがある値（例えば２または４）より高い場合には、他のUEを宛先とするデータ信号をキャンセルせずに、所望データ信号を復号する。このため、当該UE自身に対応するアグリゲーションレベルがある値（例えば２または４）より高い場合には、他のUEのPDCCH信号の解読も行わず、他のUE宛のデータ信号の復調も行わない。
【０１０４】
第４の実施の形態に係るUEのブロック図は図１２と同じでよい。但し、アグリゲーションレベル判定部７４が判定した当該PDCCH信号に対応するアグリゲーションレベルがある値より高い場合には、第２のPDCCHデスクランブリング部６６、非直交信号復調部６８および非直交信号キャンセル部７０が動作せずに、所望データ信号復調復号部７２は、混合データ信号を所望データ信号として復号する。
【０１０５】
図１４のフローチャートを参照し、第４の実施の形態に係るUE１０で実行される処理を説明する。この処理は図８に示す処理と類似し、図８に示す処理と同じステップを示すためには同一の符号が使用されており、そのようなステップについては詳細には説明しない。
【０１０６】
図１４に示す処理においては、ステップＳ６にて、ステップＳ６の判断が肯定的な場合（UE１０自身のPDCCHに他のUEのRNTIが含まれる場合）には、ステップＳ８Ａでアグリゲーションレベル判定部７４は、当該UE自身に対応するPDCCH信号のCCEを判別し、そのCCEに基づいて、当該PDCCH信号に対応するアグリゲーションレベルを判定する。
【０１０７】
また、ステップＳ８Ｄでアグリゲーションレベル判定部７４は、当該PDCCH信号に対応するアグリゲーションレベルがある閾値（例えば４）より低いか否か判断する。ステップＳ８Ｄの判断が否定的である場合（つまり、当該PDCCH信号に対応するアグリゲーションレベルが４または８である場合）には、第２のPDCCHデスクランブリング部６６、非直交信号復調部６８および非直交信号キャンセル部７０が動作せずに、所望データ信号復調復号部７２は、混合データ信号をUE１０自身の所望データ信号として復調および復号する（ステップＳ７）。すなわち、UE１０自身にはNOMAで高い送信電力が割り当てられているので、UE１０は干渉キャンセラを働かせることなく、受信したデータ信号をUE自身の所望データ信号として復調および復号する。
【０１０８】
ステップＳ８Ｄの判断が肯定的である場合（つまり、当該PDCCH信号に対応するアグリゲーションレベルが１または２である場合）には、第２のPDCCHデスクランブリング部６６は、ステップＳ８で１つのCCEを選択し、ステップＳ９で、他のUEのRNTIを用いて、そのCCEでのPDCCH信号候補のデスクランブルを試行する。
【０１０９】
この実施の形態では、UE自身のアグリゲーションレベルがある値より高い場合には、他のUEのデータ信号を復調またはキャンセルするためのプロセスを省略することができ、UEの処理負担を削減することができる。
【０１１０】
前記の実施の形態および変形は、矛盾しない限り、組み合わせてもよい。例えば、第３の実施の形態と第４の実施の形態を組合せ、図１３のステップＳ８ＡとステップＳ８Ｂの間に、図１４のステップＳ８Ｄの判断を挿入してもよい。
【０１１１】
UEにおいて、ＣＰＵが実行する各機能は、ＣＰＵの代わりに、ハードウェアで実行してもよいし、例えばFPGA（Field Programmable Gate Array），DSP（Digital Signal Processor）等のプログラマブルロジックデバイスで実行してもよい。
【符号の説明】
【０１１２】
１  基地局、１０，１００〜１０５  UE、３０  制御部、３２  無線送信部、３３  送信アンテナ、３４  無線受信部、３５  受信アンテナ、３６  基地局間通信部、３８  ＣＱＩ報告処理部、４０  制御信号生成部、４１  スケジューラ、４２  下りリンク送信電力決定部、５０  制御部、５２  無線送信部、５３  送信アンテナ、５４  無線受信部、５５  受信アンテナ、６０  受信品質測定部、６１  ＣＱＩ報告部、６２  第１のPDCCHデスクランブリング部（第１のデスクランブリング部）、６４  認識部、６６  第２のPDCCHデスクランブリング部（第２のデスクランブリング部）、６８  非直交信号復調部、７０  非直交信号キャンセル部、７２  所望データ信号復調復号部（所望データ信号復号部）、７４  アグリゲーションレベル判定部。
【図１】
2016013456.tif 000003
【図２】
2016013456.tif 000004
【図３】
2016013456.tif 000005
【図４】
2016013456.tif 000006
【図５】
2016013456.tif 000007
【図６】
2016013456.tif 000008
【図７】
2016013456.tif 000009
【図８】
2016013456.tif 000010
【図９】
2016013456.tif 000011
【図１０】
2016013456.tif 000012
【図１１】
2016013456.tif 000013
【図１２】
2016013456.tif 000014
【図１３】
2016013456.tif 000015
【図１４】
2016013456.tif 000016
【国際調査報告】
2016013456.tif 000017
2016013456.tif 000018
2016013456.tif 000019
2016013456.tif 000020